(57)【要約】同一チャネル・ヘテロジニアス・ネットワークでは、サブフレームが、異なる電力クラスのｅＮＢを含む、いくつかのイボルブド・ノードＢ（ｅＮＢｓ）の間で分割されうる。低電力ｅＮＢは、近隣の高電力ｅＮＢからの干渉により、縮小された範囲しか有さないことがありうる。ＵＥにおけるレート・マッチングによって、ＵＥは、低電力ｅＮＢとの通信の間、干渉元の基地局からの共通リソース信号からの干渉を受けるリソース要素（ＲＥ）における送信を回避することが可能となる。
2013536604.tif 000002
【特許請求の範囲】
【請求項１】
無線ネットワークにおける通信のための方法であって、
干渉元の基地局の基準信号から、サービス提供している基地局と、干渉とを判定することと、
前記サービス提供している基地局から、ダウンリンク通信を受信することと、ここで、前記ダウンリンク通信は、前記干渉元の基準信号に関連付けられたリソースを除外するようにレート・マッチングされる、
を備える方法。
【請求項２】
前記干渉元の基準信号に関連付けられたリソース要素以外のリソース要素で、データ・チャネルおよび制御チャネルのうちの少なくとも１つを受信すること、をさらに備える請求項１に記載の方法。
【請求項３】
前記受信することは、範囲拡大しているユーザ機器によって受信することを備える、請求項２に記載の方法。
【請求項４】
すべてのサブフレームのために同じレート・マッチング・スキームを適用すること、をさらに備える請求項１に記載の方法。
【請求項５】
サブフレームの第１のセットのために第１のレート・マッチング・スキームを、サブフレームの第２のセットのために第２のレート・マッチング・スキームを適用すること、をさらに備える請求項１に記載の方法。
【請求項６】
マルチキャスト／ブロードキャスト単一周波数ネットワーク（ＭＢＳＦＮ）サブフレームのためにレート・マッチングをディセーブルすること、をさらに備える請求項１に記載の方法。
【請求項７】
干渉除去することができないユーザ機器において実行される請求項１に記載の方法。
【請求項８】
物理ダウンリンク制御チャネルでレート・マッチング・スキームを受信すること、をさらに備える請求項１に記載の方法。
【請求項９】
ブロードキャスト信号または専用チャネルでレート・マッチング・スキームを受信すること、をさらに備える請求項１に記載の方法。
【請求項１０】
レート・マッチング・スキームがユーザ機器に特有である、請求項１に記載の方法。
【請求項１１】
レート・マッチング・スキームが基地局に特有である、請求項１に記載の方法。
【請求項１２】
前記基準信号からの干渉が、あるしきい値を越えた場合、レート・マッチングが実行される、請求項１に記載の方法。
【請求項１３】
レート・マッチング・スキームは、前記干渉元の基地局の共通基準信号アンテナ・ポートの数に基づく、請求項１に記載の方法。
【請求項１４】
レート・マッチング・スキームは、データがユニキャストされたか、マルチキャストされたかに基づく、請求項１に記載の方法。
【請求項１５】
レート・マッチング・スキームは、変調スキームに基づく、請求項１に記載の方法。
【請求項１６】
レート・マッチング・スキームは、システム・フレーム番号またはサブフレーム番号に基づく、請求項１に記載の方法。
【請求項１７】
レート・マッチング・スキームは、チャネル・タイプに基づく、請求項１に記載の方法。
【請求項１８】
前記基準信号は、共通基準信号を備える、請求項１に記載の方法。
【請求項１９】
無線通信のための装置であって、
干渉元の基地局の基準信号から、サービス提供している基地局と、干渉とを判定する手段と、
前記サービス提供している基地局から、ダウンリンク通信を受信する手段と、ここで、前記ダウンリンク通信は、前記干渉元の基準信号に関連付けられたリソースを除外するようにレート・マッチングされる、
を備える装置。
【請求項２０】
無線通信のためのコンピュータ・プログラム製品であって、
記録された非一時的なプログラム・コードを有する非一時的なコンピュータ読取可能な媒体を備え、前記プログラム・コードは、
干渉元の基地局の基準信号から、サービス提供している基地局と、干渉とを判定するためのプログラム・コードと、
前記サービス提供している基地局から、ダウンリンク通信を受信するためのプログラム・コードと、ここで、前記ダウンリンク通信は、前記干渉元の基準信号に関連付けられたリソースを除外するようにレート・マッチングされる、
を備える、コンピュータ・プログラム製品。
【請求項２１】
無線通信のための装置であって、
メモリと、
前記メモリに接続された少なくとも１つのプロセッサとを備え、
前記少なくとも１つのプロセッサは、
干渉元の基地局の基準信号から、サービス提供している基地局と、干渉とを判定し、
前記サービス提供している基地局から、ダウンリンク通信を受信する、ここで、前記ダウンリンク通信は、前記干渉元の基準信号に関連付けられたリソースを除外するようにレート・マッチングされる、
ように構成された、装置。
【請求項２２】
前記少なくとも１つのプロセッサはさらに、前記干渉元の基準信号に関連付けられたリソース要素以外のリソース要素で、データ・チャネルおよび制御チャネルのうちの少なくとも１つを受信するように構成された、請求項２１に記載の装置。
【請求項２３】
範囲拡大しているユーザ機器である請求項２２に記載の装置。
【請求項２４】
前記少なくとも１つのプロセッサはさらに、すべてのサブフレームのために同じレート・マッチング・スキームを適用するように構成された、請求項２１に記載の装置。
【請求項２５】
前記少なくとも１つのプロセッサはさらに、サブフレームの第１のセットのために第１のレート・マッチング・スキームを、サブフレームの第２のセットのために第２のレート・マッチング・スキームを適用するように構成された、請求項２１に記載の装置。
【請求項２６】
前記少なくとも１つのプロセッサはさらに、マルチキャスト／ブロードキャスト単一周波数ネットワーク（ＭＢＳＦＮ）サブフレームのためにレート・マッチングをディセーブルするように構成された、請求項２１に記載の装置。
【請求項２７】
干渉除去することができないユーザ機器である請求項２１に記載の装置。
【請求項２８】
前記少なくとも１つのプロセッサはさらに、物理ダウンリンク制御チャネルでレート・マッチング・スキームを受信するように構成された、請求項２１に記載の装置。
【請求項２９】
前記少なくとも１つのプロセッサはさらに、ブロードキャスト信号または専用チャネルでレート・マッチング・スキームを受信するように構成された、請求項２１に記載の装置。
【請求項３０】
レート・マッチング・スキームがユーザ機器に特有である、請求項２１に記載の装置。
【請求項３１】
レート・マッチング・スキームが基地局に特有である、請求項２１に記載の装置。
【請求項３２】
干渉があるしきい値を越えた場合、前記レート・マッチングが実行される、請求項２１に記載の装置。
【請求項３３】
レート・マッチング・スキームは、前記干渉元の基地局の共通基準信号アンテナ・ポートの数に基づく、請求項２１に記載の装置。
【請求項３４】
レート・マッチング・スキームは、データがユニキャストされたか、マルチキャストされたかに基づく、請求項２１に記載の装置。
【請求項３５】
レート・マッチング・スキームは、変調スキームに基づく、請求項２１に記載の装置。
【請求項３６】
レート・マッチング・スキームは、システム・フレーム番号またはサブフレーム番号に基づく、請求項２１に記載の装置。
【請求項３７】
レート・マッチング・スキームは、チャネル・タイプに基づく、請求項２１に記載の装置。
【請求項３８】
前記基準信号は、共通基準信号である、請求項２１に記載の装置。
【請求項３９】
無線ネットワークにおける通信のための方法であって、
ユーザ機器のために、干渉元の基地局の基準信号から、干渉を判定することと、
前記干渉元の基準信号に関連付けられたリソースを除外するようにレート・マッチングを実行するように前記ユーザ機器に対して指示することと、
を備える方法。
【請求項４０】
前記干渉元の基準信号に関連付けられたリソース要素以外のリソース要素で、データ・チャネルおよび制御チャネルのうちの少なくとも１つを、前記ユーザ機器へ送信すること、をさらに備える請求項３９に記載の方法。
【請求項４１】
すべてのサブフレームのために同じレート・マッチング・スキームを適用すること、をさらに備える請求項３９に記載の方法。
【請求項４２】
サブフレームの第１のセットのために第１のレート・マッチング・スキームを、サブフレームの第２のセットのために第２のレート・マッチング・スキームを適用すること、をさらに備える請求項３９に記載の方法。
【請求項４３】
マルチキャスト／ブロードキャスト単一周波数ネットワーク（ＭＢＳＦＮ）サブフレームのためにレート・マッチングをディセーブルすること、をさらに備える請求項３９に記載の方法。
【請求項４４】
レート・マッチング・スキームが前記ユーザ機器に特有である、請求項３９に記載の方法。
【請求項４５】
レート・マッチング・スキームが基地局に特有である、請求項３９に記載の方法。
【請求項４６】
前記ユーザ機器への干渉が、あるしきい値を越えた場合、前記レート・マッチングが実行される、請求項３９に記載の方法。
【請求項４７】
レート・マッチング・スキームは、前記干渉元の基地局の共通基準信号アンテナ・ポートの数に基づく、請求項３９に記載の方法。
【請求項４８】
レート・マッチング・スキームは、データがユニキャストされたか、マルチキャストされたかに基づく、請求項３９に記載の方法。
【請求項４９】
レート・マッチング・スキームは、変調スキームに基づく、請求項３９に記載の方法。
【請求項５０】
レート・マッチング・スキームは、システム・フレーム番号またはサブフレーム番号に基づく、請求項３９に記載の方法。
【請求項５１】
レート・マッチング・スキームは、チャネル・タイプに基づく、請求項３９に記載の方法。
【請求項５２】
前記基準信号は、共通基準信号を備える、請求項３９に記載の方法。
【請求項５３】
無線通信のための装置であって、
ユーザ機器のために、干渉元の基地局の基準信号から、干渉を判定する手段と、
前記干渉元の基準信号に関連付けられたリソースを除外するようにレート・マッチングを実行するように前記ユーザ機器に対して指示する手段と、
を備える装置。
【請求項５４】
無線通信のためのコンピュータ・プログラム製品であって、
記録された非一時的なプログラム・コードを有する非一時的なコンピュータ読取可能な媒体を備え、前記プログラム・コードは、
ユーザ機器のために、干渉元の基地局の基準信号から、干渉を判定するためのプログラム・コードと、
前記干渉元の基準信号に関連付けられたリソースを除外するようにレート・マッチングを実行するように前記ユーザ機器に対して指示するためのプログラム・コードと
を備える、コンピュータ・プログラム製品。
【請求項５５】
無線通信のための装置であって、
メモリと、
前記メモリに接続された少なくとも１つのプロセッサとを備え、
前記少なくとも１つのプロセッサは、
ユーザ機器のために、干渉元の基地局の基準信号から、干渉を判定し、
前記干渉元の基準信号に関連付けられたリソースを除外するようにレート・マッチングを実行するようにユーザ機器に対して指示する
ように構成された、装置。
【請求項５６】
前記少なくとも１つのプロセッサはさらに、前記干渉元の基準信号に関連付けられたリソース要素以外のリソース要素で、データ・チャネルおよび制御チャネルのうちの少なくとも１つを、前記ユーザ機器へ送信するように構成された、請求項５５に記載の装置。
【請求項５７】
前記少なくとも１つのプロセッサはさらに、すべてのサブフレームのために同じレート・マッチング・スキームを適用するように構成された、請求項５５に記載の装置。
【請求項５８】
前記少なくとも１つのプロセッサはさらに、サブフレームの第１のセットのために第１のレート・マッチング・スキームを、サブフレームの第２のセットのために第２のレート・マッチング・スキームを適用するように構成された、請求項５５に記載の装置。
【請求項５９】
前記少なくとも１つのプロセッサはさらに、マルチキャスト／ブロードキャスト単一周波数ネットワーク（ＭＢＳＦＮ）サブフレームのためにレート・マッチングをディセーブルするように構成された、請求項５５に記載の装置。
【請求項６０】
レート・マッチング・スキームが前記ユーザ機器に特有である、請求項５５に記載の装置。
【請求項６１】
レート・マッチング・スキームが基地局に特有である、請求項５５に記載の装置。
【請求項６２】
前記少なくとも１つのプロセッサはさらに、前記ユーザ機器への干渉があるしきい値を越えた場合に、レート・マッチングを実行するように前記ユーザ機器に指示するように構成された、請求項５５に記載の装置。
【請求項６３】
レート・マッチング・スキームは、前記干渉元の基地局の共通基準信号アンテナ・ポートの数に基づく、請求項５５に記載の装置。
【請求項６４】
レート・マッチング・スキームは、データがユニキャストされたか、マルチキャストされたかに基づく、請求項５５に記載の装置。
【請求項６５】
レート・マッチング・スキームは、変調スキームに基づく、請求項５５に記載の装置。
【請求項６６】
レート・マッチング・スキームは、システム・フレーム番号またはサブフレーム番号に基づく、請求項５５に記載の装置。
【請求項６７】
レート・マッチング・スキームは、チャネル・タイプに基づく、請求項５５に記載の装置。
【請求項６８】
前記基準信号は、共通基準信号を備える、請求項５５に記載の装置。
【発明の詳細な説明】
【技術分野】
【０００１】
本開示のある態様は、一般に、無線通信システムに関し、さらに詳しくは、近隣のセルからの干渉を低減するための、データ・チャネルおよび制御チャネルのレート・マッチングに関する。
【背景技術】
【０００２】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００３】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００４】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉と遭遇しうる。アップリンクでは、ＵＥからの送信が、近隣の基地局と通信する別のＵＥのアップリンク送信からの、または、別の無線ＲＦ送信機からの干渉と遭遇しうる。この干渉は、ダウンリンクとアップリンクとの両方のパフォーマンスを低下させうる。
【０００５】
モバイル・ブロードバンド・アクセスに対する需要が増加し続けているので、ＵＥが長距離無線通信ネットワークにアクセスすることや、短距離無線システムがコミュニティにおいて展開されることとともに、干渉および混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００６】
無線ネットワークにおける通信のための方法が提供される。この方法は、干渉元の基地局の基準信号から、サービス提供している基地局と、干渉とを判定することを含む。この方法はさらに、サービス提供している基地局から、ダウンリンク通信を受信することを含む。ダウンリンク通信は、干渉元の基準信号に関連付けられたリソースを除外するようにレート・マッチングされる。
【０００７】
無線通信のための装置が提案される。この装置は、干渉元の基地局の基準信号から、サービス提供している基地局と、干渉とを判定する手段を含む。この装置はまた、サービス提供している基地局から、ダウンリンク通信を受信する手段を含む。ダウンリンク通信は、干渉元の基準信号に関連付けられたリソースを除外するようにレート・マッチングされる。
【０００８】
無線通信のためのコンピュータ・プログラム製品が提案される。このコンピュータ・プログラム製品は、記録された非一時的なプログラム・コードを有する非一時的なコンピュータ読取可能な媒体を含む。このプログラム・コードは、干渉元の基地局の基準信号から、サービス提供している基地局と、干渉とを判定するためのプログラム・コードを含むこのプログラム・コードはまた、サービス提供している基地局から、ダウンリンク通信を受信するためのプログラム・コードをも含む。ダウンリンク通信は、干渉元の基準信号に関連付けられたリソースを除外するようにレート・マッチングされる。
【０００９】
無線通信のための装置が提案される。この装置は、メモリと、このメモリに接続されたプロセッサ（単数または複数）とを含む。プロセッサ（単数または複数）は、干渉元の基地局の基準信号から、サービス提供している基地局と、干渉とを判定するように構成される。プロセッサ（単数または複数）はまた、サービス提供している基地局から、ダウンリンク通信を受信するように構成される。ダウンリンク通信は、干渉元の基準信号に関連付けられたリソースを除外するようにレート・マッチングされる。
【００１０】
無線ネットワークにおける通信のための方法が提案される。この方法は、ユーザ機器のために、干渉元の基地局の基準信号から、サービス提供している基地局と、干渉とを判定することを含む。この方法はさらに、干渉元の基準信号に関連付けられたリソースを除外するようにレート・マッチングを実行するようにユーザ機器に対して指示することを含む。
【００１１】
無線通信のための装置が提案される。この装置は、ユーザ機器のために、干渉元の基地局の基準信号から、サービス提供している基地局と、干渉とを判定する手段
を含む。この装置はまた、干渉元の基準信号に関連付けられたリソースを除外するようにレート・マッチングを実行するようにユーザ機器に対して指示する手段を含む。
【００１２】
無線通信のためのコンピュータ・プログラム製品が提案される。このコンピュータ・プログラム製品は、記録された非一時的なプログラム・コードを有する非一時的なコンピュータ読取可能な媒体を含む。このプログラム・コードは、ユーザ機器のために、干渉元の基地局の基準信号から、サービス提供している基地局と、干渉とを判定するためのプログラム・コードを含む。このプログラム・コードはまた、干渉元の基準信号に関連付けられたリソースを除外するようにレート・マッチングを実行するようにユーザ機器に対して指示するためのプログラム・コードを含む。
【００１３】
無線通信のための装置が提案される。この装置は、メモリと、このメモリに接続されたプロセッサ（単数または複数）とを含む。プロセッサ（単数または複数）は、ユーザ機器のために、干渉元の基地局の基準信号から、サービス提供している基地局と、干渉とを判定するように構成される。プロセッサ（単数または複数）はまた、干渉元の基準信号に関連付けられたリソースを除外するようにレート・マッチングを実行するようにユーザ機器に対して指示するように構成される。
【００１４】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１５】
本開示の特徴、特性、および利点は、同一の参照符号が全体を通じて同一物に特定している図面とともに考慮された場合、以下に記載する詳細な記載からより明らかになるだろう。
【図１】図１は、テレコミュニケーション・システムの例を概念的に例示するブロック図である。
【図２】図２は、テレコミュニケーション・システムにおけるダウンリンク・フレーム構造の例を概念的に例示する図である。
【図３】図３は、アップリンク通信におけるフレーム構造の例を概念的に例示するブロック図である。
【図４】図４は、本開示の１つの態様にしたがって構成された基地局／ｅノードＢとＵＥとの設計を概念的に例示するブロック図である。
【図５Ａ】図５Ａは、本開示の１つの態様にしたがう同一チャネル・ヘテロジニアス・ネットワークを例示するブロック図である。
【図５Ｂ】図５Ｂは、本開示の１つの態様にしたがう範囲拡大における同一チャネル・ヘテロジニアス・ネットワークを例示するブロック図である。
【図６】図６は、本開示の１つの態様にしたがう同一チャネル・ヘテロジニアス・ネットワークにおけるサブフレーム・リソースを例示するブロック図である。
【図７】図７は、本開示の１つの態様にしたがう同一チャネル・ヘテロジニアス・ネットワークにおけるデータ送信を例示するブロック図である。
【図８】図８は、本開示の１つの態様にしたがう同一チャネル・ヘテロジニアス・ネットワークにおけるデータ送信を例示するブロック図である。
【図９】図９は、本開示の１つの態様にしたがう無線ネットワークにおけるレート・マッチングのための方法を例示するブロック図である。
【図１０】図１０は、本開示の１つの態様にしたがう無線ネットワークにおけるレート・マッチングのための方法を例示するブロック図である。
【発明を実施するための形態】
【００１６】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１７】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ）、およびＣＤＭＡのその他の変形を含んでいる。ＣＤＭＡ２０００技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる組織からの文書に記載されている。ｃｄｍａ２０００およびＵＭＢは、「第３世代パートナシップ計画２」（３ＧＰＰ２）と呼ばれる組織からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりにこれらはともに“ＬＴＥ／−Ａ”と称される）について記載されており、このようなＬＴＥ−Ａ用語が以下の説明の多くで使用される。
【００１８】
図１は、無線通信ネットワーク１００を示す。これは、ＬＴＥ−Ａネットワークでありうる。ここでは、近隣のセルからの干渉を低減するために、データ・チャネルおよび制御チャネルのレート・マッチングが実施されうる。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効通信範囲を提供する。３ＧＰＰでは、用語「セル」は、この用語が使用される文脈に依存して、有効通信範囲エリアにサービス提供しているｅノードＢおよび／またはｅノードＢサブシステムからなる特定の地理的有効通信範囲エリアを称しうる。
【００１９】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、フェムト・セルとの関連を持つＵＥ（例えば、クローズド加入者グループ（ＣＳＧ）におけるＵＥ）、住宅内のユーザのためのＵＥ等による無制限のアクセスを提供しうる。マクロ・セルのためのｅノードＢは、マクロｅノードＢと称されうる。ピコ・セルのためのｅノードＢは、ピコｅノードＢと称されうる。そして、フェムト・セルのためのｅノードＢは、フェムトｅノードＢまたはホームｅノードＢと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。そして、ｅノードＢ１１０ｙ，１１０ｚは、それぞれフェムト・セル１０２ｙ，１０２ｚのためのフェムトｅノードＢである。ｅノードＢは、１または複数（例えば２，３，４個等）のセルをサポートしうる。
【００２０】
無線ネットワーク１００はさらに、中継局をも含みうる。中継局は、データおよび／またはその他の情報の送信を上流局（例えば、ｅノードＢ、ＵＥ等）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００２１】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００２２】
無線ネットワーク１００は、同期動作または非同期動作をサポートしうる。同期動作の場合、ｅノードＢは、類似のフレーム・タイミングを有し、異なるｅノードＢからの送信は、時間的にほぼ揃えられうる。非同期動作の場合、ｅノードＢは、異なるフレーム・タイミングを有し、異なるｅノードＢからの送信は、時間的に揃わない場合がある。ここに記載された技術は、同期動作あるいは非同期動作の何れかのために使用されうる。
【００２３】
１つの態様では、無線ネットワーク１００は、周波数分割デュプレクス（ＦＤＤ）動作モードまたは時分割デュプレクス（ＴＤＤ）動作モードをサポートしうる。本明細書に記載された技術は、ＦＤＤ動作モードまたはＴＤＤ動作モードの何れかのために使用されうる。
【００２４】
ネットワーク・コントローラ１３０は、ｅノードＢ１１０のセットに接続しており、これらｅノードＢ１１０のための調整および制御を提供しうる。ネットワーク・コントローラ１３０は、バックホールを介してｅノードＢ１１０と通信しうる。ｅノードＢ１１０はまた、例えば、ダイレクトに、または、無線バックホールまたは有線バックホールを介して非ダイレクトに、互いに通信しうる。
【００２５】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット等でありうる。ＵＥは、マクロｅノードＢ、ピコｅノードＢ、フェムトｅノードＢ、リレー等と通信することができうる。図１では、両矢印を持つ実線が、ＵＥと、ダウンリンクおよび／またはアップリンクでＵＥにサービス提供するように指定されたｅノードＢであるサービス提供ｅノードＢとの間の所望の送信を示す。両矢印を持つ破線は、ＵＥとｅノードＢとの間の干渉送信を示す。
【００２６】
ＬＴＥは、ダウンリンクで周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに区分する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、サブキャリアの間隔は、１５ｋＨｚでありうる。そして、（「リソース・ブロック」と呼ばれる）最小リソース割当は、１２サブキャリア（または１８０ｋＨｚ）でありうる。その結果、ノミナルＦＦＴサイズは、１．２５，２．５，５，１０，または２０メガヘルツ（ＭＨｚ）の対応するシステム帯域幅についてそれぞれ１２８，２５６，５１２，１０２４，または２０４８に等しくなりうる。システム帯域幅はまた、サブ帯域へ区分されうる。例えば、サブ帯域は、１．０８ＭＨｚ（すなわち、６リソース・ブロック）をカバーし、１．２５，２．５，５，１０，１５，または２０ＭＨｚの対応するシステム帯域幅についてそれぞれ１，２，４，８，または１６のサブ帯域が存在しうる。
【００２７】
図２は、ＬＴＥにおいて使用されるダウンリンクＦＤＤ構造を示す。ダウンリンクの送信タイムラインは、ラジオ・フレームの単位に区分されうる。おのおののラジオ・フレームは、（例えば１０ミリ秒（ｍｓ）のような）予め定められた持続時間を有し、０乃至９のインデクスを付された１０個のサブフレームへ区分されうる。おのおののサブフレームは２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、例えば、７つのシンボル期間を含み、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ区分されうる。おのおののリソース・ブロックは、１つのスロットにおいてＮ個のサブキャリア（例えば、１２のサブキャリア）をカバーしうる。
【００２８】
ＬＴＥでは、ｅノードＢは、ｅノードＢにおける各セルについて、一次同期信号（ＰＳＣまたはＰＳＳ）および二次同期信号（ＳＳＣまたはＳＳＳ）を送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２９】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、少ない数のシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動反復要求（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００３０】
ｅノードＢは、ｅノードＢによって使用されるシステム帯域幅の中央の１．０８ＭＨｚでＰＳＣ、ＳＳＳ、およびＰＢＣＨを送信しうる。ｅノードＢは、これらのチャネルが送信される各シンボル期間におけるシステム帯域幅全体でＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、ＵＥのグループにＰＤＳＣＨを送信しうる。ｅノードＢは、すべてのＵＥへブロードキャスト方式でＰＳＣ、ＳＳＣ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００３１】
各シンボル期間において、多くのリソース要素が利用可能でありうる。おのおののリソース要素は、１つのシンボル期間において１つのサブキャリアをカバーし、実数値または複素数値である１つの変調シンボルを送信するために使用されうる。制御チャネルのために使用されるシンボルについて、各シンボル期間において、基準信号のために使用されないリソース要素が、リソース要素グループ（ＲＥＧ）へ構成されうる。おのおののＲＥＧは、１つのシンボル期間内に、４つのリソース要素を含みうる。ＰＣＦＩＣＨは、シンボル期間０において、４つのＲＥＧを占有しうる。これらは、周波数にわたってほぼ均等に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧのある組み合わせのみが、ＰＤＣＣＨのために許可されうる。
【００３２】
ＵＥは、ＰＨＩＣＨとＰＣＦＩＣＨとのために使用された特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００３３】
ＵＥは、複数のｅノードＢの有効通信範囲内に存在しうる。これらのｅノードＢのうちの１つは、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００３４】
図３は、アップリンク・ロング・ターム・イボリューション（ＬＴＥ）通信における典型的なＦＤＤおよびＴＤＤ（特別ではないサブフレームのみの）サブフレーム構造を概念的に例示するブロック図である。アップリンクのために利用可能なリソース・ブロック（ＲＢ）は、データ・セクションおよび制御セクションに区分されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥは、連続するサブキャリアのすべてがデータ・セクション内に割り当てられるようになる。
【００３５】
ＵＥは、ｅノードＢへ制御情報を送信するために、制御セクション内にリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図３に示すように、周波数を越えてホップしうる。１つの態様によれば、緩和された単一キャリア動作において、ＵＬリソースで並列なチャネルが送信されうる。例えば、制御およびデータ・チャネル、並列制御チャネル、および並列データ・チャネルが、ＵＥによって送信されうる。
【００３６】
ＰＳＣ、ＳＳＣ、ＣＲＳ、ＰＢＣＨ、ＰＵＣＣＨ、ＰＵＳＣＨ、および、ＬＴＥ／−Ａで使用される他のこのような信号およびチャネルは、公的に利用可能な、「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００３７】
図４は、図１における基地局／ｅノードＢのうちの１つ、およびＵＥのうちの１つでありうる、基地局／ｅノードＢ１１０とＵＥ１２０との設計のブロック図を示す。基地局１１０は、図１におけるマクロｅノードＢ１１０ｃでありうる。そして、ＵＥ１２０は、ＵＥ１２０ｙでありうる。基地局１１０はさらに、その他いくつかのタイプの基地局でもありうる。基地局１１０は、アンテナ４３４ａ乃至４３４ｔを備え、ＵＥ１２０は、アンテナ４５２ａ乃至４５２ｒを備えうる。
【００３８】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データおよび制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、基準シンボル、制御シンボル、および／または、データ・シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔによってそれぞれ送信されうる。
【００３９】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００４０】
アップリンクでは、ＵＥ１２０において、送信プロセッサ４６４が、データ・ソース４６２から（例えば、ＰＵＳＣＨのための）データを、コントローラ／プロセッサ４８０から（例えば、ＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）変調器４５４ａ乃至４５４ｒによって処理され、基地局１１０へ送信されうる。基地局１１０では、ＵＥ１２０からのアップリンク信号が、アンテナ４３４によって受信され、復調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得されうる。プロセッサ４３８は、復号されたデータをデータ・シンク４３９に提供し、復号された制御情報をコントローラ／プロセッサ４４０へ提供しうる。基地局１１０は、例えばＸ２インタフェース４４１を介して、他の基地局へメッセージを送信しうる。
【００４１】
コントローラ／プロセッサ４４０，４８０は、基地局１１０およびＵＥ１２０それぞれにおける動作を指示しうる。基地局１１０におけるプロセッサ４４０および／またはその他のプロセッサおよびモジュールは、本明細書に記載された技術のためのさまざまな処理の実行または実行の指示を行いうる。ＵＥ１２０におけるプロセッサ４８０および／またはその他のプロセッサおよびモジュールは、図８の使用方法フロー・チャートに例示された機能ブロック、および／または、本明細書に記載された技術のためのその他の処理の実行または実行の指示を行いうる。メモリ４４２，４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００４２】
（ヘテロジニアス・ネットワーク）  
例えば無線ネットワーク１００のようなヘテロジニアス・ネットワークの構成では、ＵＥは、１または複数の干渉元のｅノードＢからの高い干渉を観察しうる支配的な干渉シナリオで動作しうる。支配的な干渉シナリオは、制限された関連付けによって生じうる。例えば、図１では、ＵＥ１２０ｙが、フェムトｅノードＢ１１０ｙの近くにあり、ｅノードＢ１１０ｙに関し高い受信電力を有しうる。しかしながら、制約された関連付けによって、ＵＥ１２０ｙは、フェムトｅノードＢ１１０ｙにアクセスすることができず、（図１に示すような）マクロｅノードＢ１１０ｃ、または、同様に低い受信電力を持つ（図１に示されていない）フェムトｅノードＢ１１０ｚに接続しうる。ＵＥ１２０ｙは、その後、ダウンリンクで、フェムトｅノードＢ１１０ｙからの高い干渉を観察し、アップリンクで、ｅノードＢ１１０ｙへ高い干渉を引き起こしうる。ｅノードＢ１１０ｃおよびフェムトｅノードＢ１１０ｙは、調整された干渉管理を用いて、リソースをネゴシエートするために、バックホールを介して通信しうる。このネゴシエーションでは、フェムトｅノードＢ１１０ｙは、チャネル・リソースのうちの１つでの送信を停止することに合意する。これによって、ＵＥ１２０ｙは、同じチャネルを介してｅノードＢ１１０ｃと通信する場合ほど、フェムト１１０ｙからの干渉を受けなくなるであろう。
【００４３】
このような支配的な干渉シナリオでは、同期システムにおいてでさえも、ＵＥと複数のｅノードＢとの間の距離が異なることにより、ＵＥで観察される信号電力の不一致に加えて、ダウンリンク信号のタイミング遅れもＵＥによって観察されうる。同期システムにおけるｅノードＢは、システムを超えて、推定に基づいて同期される。しかしながら、例えば、マクロｅノードＢから５ｋｍの距離にあるＵＥを考慮すると、マクロｅノードＢから受信されたダウンリンク信号の伝搬遅れは、約１６．６７マイクロ秒（５ｋｍ÷３×１０８、すなわち、光速’ｃ’）の遅れとなるであろう。マクロｅノードＢからのダウンリンク信号を、より近いフェムトｅノードＢからのダウンリンク信号と比較すると、タイミング差は、時間トラッキング・ループ（ＴＬＬ）誤差のレベルに近づきうる。
【００４４】
さらに、このタイミング差は、ＵＥにおける干渉除去にインパクトを与えうる。干渉除去はしばしば、同じ信号の複数のバージョンの結合間の相互相関特性を用いる。同じ信号の複数のコピーを結合することによって、干渉は、より簡単に識別されうる。なぜなら、信号のおのおののコピーにおける干渉が存在するであろう間、干渉は、同じ場所にあることはないだろうからである。結合された信号の相互相関を用いて、実際の信号部分が判定され、干渉と区別されうる。これによって、干渉が除去されるようになる。
【００４５】
（ヘテロジニアス・ネットワークにおける範囲拡大）  
ヘテロジニアス・ネットワークは、例えば、ロング・ターム・イボリューション（ＬＴＥ）ネットワークおよびロング・ターム・イボリューション・アドバンスト（ＬＴＥ−Ａ）ネットワークのような無線ネットワークのスループットおよびシステム容量を改善する。ヘテロジニアス・ネットワークのエリアにおいて利用可能なスペクトルが制限されている場合、ヘテロジニアス・ネットワークは、リソース消費を低減するために、同一チャネル・ヘテロジニアス・ネットワークとして構成されうる。さらに、同一チャネル・ヘテロジニアス・ネットワークは、無線ネットワークの構成におけるさらなる柔軟性を可能にする。
【００４６】
ヘテロジニアス・ネットワークは、異なる電力クラスからなるいくつかのイボルブド・ノードＢ（ｅＮＢ）を含みうる。例えば、ヘテロジニアス・ネットワークは、マクロｅＮＢ、フェムトｅＮＢ、およびピコｅＮＢを含みうる。フェムトｅＮＢおよびピコｅＮＢ（低電力ｅＮＢ）は、マクロｅＮＢｓ（マクロｅＮＢ）よりも低い電力レベルで動作する。その結果、低電力ｅＮＢが、マクロｅＮＢの有効通信範囲の内部に配置されている場合、マクロｅＮＢ信号は、低電力ｅＮＢ信号と干渉しうる。例えば、ＵＥによって受信される、低電力ｅＮＢまたはマクロｅＮＢからの信号強度は、低電力ｅＮＢまたはマクロｅＮＢからのＵＥのラジアル距離に比例して減衰する。低電力ｅＮＢの有効通信範囲エリアは、マクロｅＮＢの信号強度によってしばしば制限される。すなわち、低電力ｅＮＢからのあるラジアル距離では、低電力ｅＮＢの信号強度は、１または複数のマクロｅＮＢからの干渉を除いて、ＵＥによって利用可能でありうる。
【００４７】
低電力ｅＮＢの範囲を拡大することは、低電力ｅＮＢが、より多くのＵＥにサービス提供できるようにすることによって、ヘテロジニアス・ネットワークにおける柔軟性を高める。さらに、ＵＥが、低電力ｅＮＢにオフロードされた場合、スペクトル効率が高められる。低電力ｅＮＢの範囲拡大は、マクロｅＮＢが、干渉しているリソースを解放した場合に生じうる。これは、図５Ａおよび図５Ｂを参照して説明される。
【００４８】
図５Ａは、本開示の１つの態様にしたがう同一チャネル・ヘテロジニアス・ネットワークを例示するブロック図である。マクロｅＮＢ有効通信範囲エリアが、エリア５０２によって例示される。マクロｅＮＢ有効通信範囲エリア５０２内には、低電力ｅＮＢ有効通信範囲エリア５１０，５２０，５３０がある。低電力ｅＮＢ有効通信範囲エリア５１０，５２０，５３０は、マクロｅＮＢ有効通信範囲エリア５０２からの干渉によって範囲が制限されている。したがって、マクロｅＮＢ有効通信範囲エリア５０２が、リソースを解放した場合、低電力ｅＮＢ有効通信範囲エリア５１０，５２０，５３０の範囲が拡大しうる。
【００４９】
図５Ｂは、本開示の１つの態様にしたがう範囲拡大における同一チャネル・ヘテロジニアス・ネットワークを例示するブロック図である。マクロｅＮＢ有効通信範囲エリア５０２がリソースを解放した後、低電力ｅＮＢ有効通信範囲エリア５１０，５２０，５３０の範囲を制限している干渉が低減される。低電力ｅＮＢ有効通信範囲エリア５１０，５２０，５３０の範囲は、低電力ｅＮＢ範囲拡大有効通信範囲エリア５１２，５２２，５３２をそれぞれ含めるように拡大される。
【００５０】
（範囲拡大におけるデータ・チャネルおよび制御チャネルのためのレート・マッチング）  
ヘテロジニアス・ネットワークのマクロｅＮＢが、低電力ｅＮＢの範囲拡大を可能にするためにリソースを解放した場合、マクロｅＮＢは、例えば３ＧＰＰリリース８およびリリース９のＵＥのようなレガシーＵＥをサポートするために、多くのレガシー制御チャネルおよびパイロット・チャネルを送信し続けうる。したがって、後方互換性を維持するために、マクロｅＮＢは、マルチキャスト／ブロードキャスト単一周波数ネットワーク（ＭＢＳＦＮ）サブフレーム、または、例えば共通基準信号（ＣＲＳ）のように、レガシー信号およびチャネルの送信後の信号がブロードキャストされない「ほとんどブランクな」サブフレームの何れかをサポートしうる。
【００５１】
ＭＢＳＦＮサブフレームは、無線ネットワークにおける構成制約にしたがう。従来は、毎１０サブフレームのうち最大６つのサブフレームが、ＭＢＳＦＮサブフレームでありうる。ほとんどブランクなサブフレームは、時分割多重（ＴＤＭ）区分の一部であり、この間、時間リソースは解放されるが、レガシー信号およびチャネルは、依然として送信されうる。ほとんどブランクのサブフレームの間、共通基準信号（ＣＲＳ）が、対応するすべての直交周波数分割多重（ＯＦＤＭ）シンボルにおける各サブフレームにおいて、ノミナル電力で送信され、一次同期シーケンス（ＰＳＳ）および二次同期シーケンス（ＳＳＳ）が、生成される毎に、すべてのセルにおいてノミナル電力で送信され、物理ブロードキャスト・チャンネル（ＰＢＣＨ）が、各フレームにおいてノミナル電力で送信される。それに加えて、物理制御フォーマット・インジケータ・チャネル（ＰＣＦＩＣＨ）、物理ハイブリッドＡＲＱインジケータ・チャネル（ＰＨＩＣＨ）、物理ダウンリンク制御チャネル（ＰＤＣＣＨ）、および物理ダウンリンク共有チャネル（ＰＤＳＣＨ）が、スケジューリング決定に部分的に基づいて送信され、アップリンク・チャネルが、スケジューリング決定および設定に部分的に基づいて送信される。
【００５２】
図６は、本開示の１つの態様にしたがう同一チャネル・ヘテロジニアス・ネットワークにおけるサブフレーム・リソースを例示するブロック図である。図６の第１行６０２は、例えば、図５のエリア５０２に対応する有効通信範囲エリアを有するマクロｅＮＢにおける一連のサブフレームを例示する。第２行６０４は、例えば、図５のエリア５１０，５１２に対応する有効通信範囲エリアを有する第１の低電力ｅＮＢ（ｅＮＢ  Ａ）における一連のサブフレームを例示する。第３行６０６は、例えば、図５のエリア５２０，５２２に対応する有効通信範囲エリアを有する第２の低電力ｅＮＢ（ｅＮＢ  Ｂ）における一連のサブフレームを例示する。第４行６０８は、例えば、図５のエリア５３０，５３２に対応する有効通信範囲エリアを有する第３の低電力ｅＮＢ（ｅＮＢ  Ｃ）における一連のサブフレームを例示する。
【００５３】
サブフレーム０において、マクロｅＮＢは、有効通信範囲エリア５２０内のＵＥに、データを提供しうる。続いて、サブフレーム１において、マクロｅＮＢは、リソースを解放し、この間、低電力ｅＮＢ  Ａ、Ｂ、Ｃは、有効通信範囲エリア５１０および５１２、５２０および５２２、５３０および５３２、それぞれにおけるＵＥにデータを提供する。マクロｅＮＢは、ほとんどブランクなサブフレームを送信しているので、低電力ｅＮＢ  Ａ、Ｂ、Ｃの範囲は、図５のエリア５１２，５２２，５３２それぞれを含めるように増加する。マクロｅＮＢおよび低電力ｅＮＢは、マクロｅＮＢに割り当てられた１つのサブフレームと、低電力ｅＮＢに割り当てられた１つのサブフレームとを交互するとして説明されているので、サブフレームのどのような区分化も選択されうる。
【００５４】
マクロｅＮＢおよび低電力ｅＮＢ  Ａ、Ｂ、Ｃによって送信されるサブフレームは、「ほとんどブランク」になるように、レガシー信号およびチャネルを含みうる。例えば、サブフレーム１の間、マクロｅＮＢは、例えばＣＲＳのようなレガシー信号およびチャネルを送信する。
【００５５】
他のｅＮＢからのＣＲＳは依然として、ほとんどブランクなサブフレームの間、低電力ｅＮＢとの干渉を引き起こしうる。より新しいＵＥは、他のｅＮＢからの干渉を除去するために、基準信号−干渉除去（ＲＳ−ＩＣ）を実行する機能を有しうる。しかしながら、例えばレガシーＵＥのような古いＵＥは、ＲＳ−ＩＣ機能を含んでいない場合がありうる。したがって、低電力ノードの範囲拡大動作の間、他のｅＮＢからのＣＲＳ干渉を低減する必要がある。
【００５６】
低電力ｅＮＢからのＣＲＳはまた、マクロｅＮＢとも干渉しうる。例として、クローズド加入者グループ（ＣＳＧ）フェムト・セルは、ＵＥのあるグループにのみサービス提供しうる。マクロＵＥが、フェムト・セルの近傍にあり、かつ、フェムト・セルにアクセスすることが制限されている場合、フェムト・セルが、ほとんどブランクなサブフレームを用いて構成されている場合であっても、マクロＵＥは、フェムト・セルからのＣＲＳによって干渉を受けうる。
【００５７】
１つの態様によれば、別のｅＮＢのＣＲＳからの干渉を低減するために、ｅＮＢのデータ・チャネルまたは制御チャネルで、レート・マッチングが実行されうる。具体的には、ＵＥは、特定のリソースを使用せずに、低データ・レートにマッチングするように指示されうる。データ・レートは、干渉元の近隣のｅＮＢのＣＲＳを考慮するように、ＵＥのために選択されうる。例えば、範囲拡大しているＵＥは、干渉元の近隣のｅＮＢのＣＲＳリソース要素（ＲＥ）に対応するＲＥを使用しないように指示されうる。範囲拡大におけるレート・マッチングのためのリソース要素の決定が、図７を参照して記載される。この方式では、ＵＥは、強い干渉を受けていないリソース要素のみを用い、もって、所望のレベルのダウンリンク・スループットを達成するように指示されうる。図７は、本開示の１つの態様にしたがう同一チャネル・ヘテロジニアス・ネットワークにおけるデータ送信を例示するブロック図である。
【００５８】
テーブル７００は、通常のサイクリック・プレフィクス（ＣＰ）の列と、サブキャリアの行とにしたがうリソース要素を例示する。マクロｅＮＢは、物理セル識別子（ＰＣＩ）を適用しうる。これは、１つのＣＲＳオフセットとなる。例えば、マクロｅＮＢのＣＲＳオフセットは、マクロｅＮＢのＰＣＩと値３とのモジュロから決定されうる。例えばピコｅＮＢのような低電力ｅＮＢは、別のＣＲＳオフセットを適用しうる。例えば、低電力ｅＮＢのＣＲＳオフセットは、低電力ｅＮＢのＰＣＩと値３とのモジュロから決定されうる。
【００５９】
図７は、マクロｅＮＢ  ＣＲＳオフセットが０であり、低電力ｅＮＢ  ＣＲＳオフセットが１であり、干渉元の近隣のｅＮＢが２つのＣＲＳアンテナ・ポートを有する１つの態様にしたがう、１つのリソース・ブロック（ＲＢ）のためのＲＥマッピングを示す。低電力ｅＮＢのためのＣＲＳ送信は、低電力ｅＮＢのアンテナ・ポートについてそれぞれＲ０，Ｒ１，Ｒ３とラベルされたリソース要素で示されている。例えば、スロット０のサブキャリア１において、通常のサイクリック・プレフィクス０を持つＯＦＤＭシンボルは、セルの第１のアンテナ・ポートのためのＣＲＳ送信を有する。さらに、スロット０のサブキャリア１において、通常のサイクリック・プレフィクス１を持つＯＦＤＭシンボルは、低電力ｅＮＢの第３のアンテナ・ポートのためのＣＲＳ送信を有する。
【００６０】
例えばマクロｅＮＢのような干渉元の近隣のｅＮＢのためのＣＲＳ送信も、あるリソース要素において示されている。例えば、スロット０のサブキャリア０において、通常のサイクリック・プレフィクス４を持つＯＦＤＭシンボルは、近隣のｅＮＢ  ＣＲＳからの干渉を有する。さらに、スロット１のサブキャリア０において、通常のサイクリック・プレフィクス０を持つＯＦＤＭシンボルは、近隣のｅＮＢ  ＣＲＳからの干渉を有する。
【００６１】
レート・マッチングの間、ＵＥは、干渉元の近隣のｅＮＢ  ＣＲＳに対応するリソース要素を使用しない。図７に示すように、レート・マッチングしているＵＥは、通常のサイクリック・プレフィクスにおいて、ＯＦＤＭシンボル４におけるスロット０におけるサブキャリア０を使用しない場合がある。なぜなら、干渉元のｅＮＢが、このリソース要素の間に、ＣＲＳを送信しているからである。
【００６２】
２または３以上の干渉元のセルがある場合、レート・マッチングは、２または３以上の干渉元のセルのＣＲＳオフセットを考慮することによって実行されうる。例として、２または３以上の干渉元のセルが同じＣＲＳオフセットを有する場合、図７に示すものと同じレート・マッチングが適合しうる。別の例として、２または３以上の干渉元のセルが、異なるＣＲＳオフセットを有する場合、さらなるリソースは、レート・マッチングから除外されうる。図８に示すように、レート・マッチングしているＵＥは、ＯＦＤＭシンボル４の全体を使用する訳ではないことがありうる。なぜなら、２または３以上の干渉元のセルは、ＲＥマッピング８００に示されるように、ＣＲＳオフセット０および２を同時に有するからである。
【００６３】
レート・マッチングのシグナリングは、ＵＥ特有またはセル特有でありうる。レート・マッチングのシグナリングがＵＥ特有である場合、シグナリングは、例えばレイヤ３のようなより高次レイヤで、または、物理ダウンリンク制御チャンネル（ＰＤＣＣＨ）において実行されうる。レート・マッチングのシグナリングがセル特有である場合、セルは、ブロードキャスト信号または専用信号によって、ＵＥに対して、レート・マッチングを使用するように示しうる。レート・マッチングは、ＵＥの機能に部分的に依存してイネーブルまたはディセーブルされうる。例えば、ＲＳ−ＩＣ（基準信号干渉除去）機能を有する、より新しいＵＥは、レート・マッチングをディセーブルするように指示されうる。なぜなら、ＲＳ−ＩＣによって、ＵＥは、近隣のＣＲＳからの干渉を除去できるからである。レート・マッチングはまた、ＵＥにおいて測定された干渉レベルに基づいてイネーブルまたはディセーブルされうる。例えば、ＵＥが低い干渉レベルを測定した場合、ＵＥは、レート・マッチングをディセーブルするように指示されうる。
【００６４】
レート・マッチング中に使用しないリソース要素を決定するために、ｅＮＢは、ＵＥに対して、リソース要素の数、または、どのリソース要素を使用しないのかを示しうる。例えば、ｅＮＢは、干渉元のｅＮＢのＣＲＳアンテナ・ポートの数をＵＥに示しうる。あるいは、ＵＥは、ＵＥへのシグナリングが低減するように、固定された数のＣＲＳアンテナ・ポートを仮定しうる。１つの態様によれば、ＵＥは、干渉元のｅＮＢのために４つのＣＲＳアンテナ・ポートを仮定する。別の態様によれば、ＵＥは、干渉元のｅＮＢのために２つのＣＲＳアンテナ・ポートを仮定する。別の態様によれば、ｅＮＢは、干渉元のｅＮＢのＣＲＳアンテナ・ポートのオフセット（単数または複数）をＵＥに示しうる。あるいは、ＵＥは、ＵＥへのシグナリングが低減するように、ＣＲＳアンテナ・ポートの固定されたオフセットを仮定しうる。固定されたオフセットは、サービス提供しているセルのＣＲＳアンテナ・ポートのオフセットに関連がありうる。別の態様によれば、ＵＥは、サービス提供しているセルによって使用されていないその他すべてのＣＲＳオフセットが、干渉元のｅＮＢに関するものであると仮定しうる。
【００６５】
１つのサブフレームにおける割当に、新たなレート・マッチングが適用されうる。さらに、サブフレームは、例えば新たなレート・マッチング・スキームおよび古いレート・マッチング・スキームのような異なるレート・マッチング・スキームを混合しうる。ＵＥが新たなレート・マッチングについて指示された場合、新たなレート・マッチングは、すべてのサブフレームまたはすべてのサブフレームのサブセットについてイネーブルされうる。レート・マッチング・スキームはまた、データがユニキャストされたか、マルチキャストされたかに依存しうる。ＵＥは、セルからのシグナリングによって、新たなレート・マッチングを適用すべきサブフレームのサブセットを通知されうる。例えば、干渉元のセルがＭＢＳＦＮサブフレームを使用している場合におけるサブフレームのセットについては、新たなレート・マッチングはディセーブルされうる。
【００６６】
さらに、レート・マッチングは、ＰＤＳＣＨの変調スキームに部分的に基づいて、イネーブルまたはディセーブルされうる。例えば、ＰＤＳＣＨの変調が、直交フェーズ・シフト・キー（ＱＰＳＫ）である場合、変調レート・マッチングがディセーブルされうる。別の例において、ＰＤＳＣＨの変調が、例えば１６直交振幅変調（１６−ＱＡＭ）のようなより高い変調である場合、レート・マッチングはイネーブルされうる。レート・マッチングはまた、ＰＤＳＣＨのタイプによってイネーブルまたはディセーブルされうる。例えば、ＰＤＳＣＨが、物理ブロードキャスト・チャンネル（ＰＢＣＨ）、システム情報ブロック１（ＳＩＢ１）、システム情報ブロック２（ＳＩＢ２）、またはページング・チャンネルのようなブロードキャスト・チャネルである場合、レート・マッチングはディセーブルされうる。さらに、レート・マッチングは、システム・フレーム番号（ＳＦＮ）およびサブフレーム番号に基づいてイネーブルまたはディセーブルされうる。例えば、サブフレームの特定のセットが、レート・マッチングを、イネーブルまたはディセーブルさせうる。
【００６７】
新たなレート・マッチングはまた、例えば中継物理ダウンリンク制御チャネル（Ｒ−ＰＤＣＣＨ）のようなデータ領域を用いた任意の新たな制御設計にも適用可能である。Ｒ−ＰＤＣＣＨは、半デュプレクス中継動作に関して元々開発されたデータ領域を利用する、新たなタイプの制御チャネルである。Ｒ−ＰＤＣＣＨは、１つのサブフレーム内にいくつかの第１の制御シンボルを占有するレガシーＰＤＣＣＨとは異なり、元々データ領域として指定されているリソース要素へマップされる。新たな制御チャネルは、周波数分割多重（ＦＤＭ）、時分割多重（ＴＤＭ）、あるいはＦＤＭとＴＤＭとの組み合わせの形態をとりうる。
【００６８】
図９は、本開示の１つの態様を実施するように実行されるブロックの例を例示する機能ブロック図である。ブロック９０２では、基地局のような装置が、ユーザ機器のために、干渉元の基地局の基準信号から、干渉を判定する。ブロック９０４では、装置は、干渉元の基準信号に関連付けられたリソースを除外するようにレート・マッチングを実行するようにユーザ機器に対して指示する。
【００６９】
図１０は、本開示の１つの態様を実施するように実行されるブロックの例を例示する機能ブロック図である。ブロック１００２では、例えばユーザ機器のような装置が、干渉元の基地局の基準信号から、サービス提供している基地局と、干渉とを判定する。ブロック１００４では、装置は、サービス提供している基地局から、ダウンリンク通信を受信する。ダウンリンク通信は、干渉元の基準信号に関連付けられたリソースを除外するようにレート・マッチングされる。
【００７０】
１つの構成では、無線通信のための装置は、ユーザ機器のために、干渉元の基地局の基準信号から、干渉を判定する手段を含む。１つの態様では、前述した手段は、前述した手段によって詳述された機能を実行するように構成されたアンテナ４３４ａ−ｔ、復調器４３２ａ−ｔ、受信プロセッサ４３８、コントローラ／プロセッサ４４０、および／またはメモリ４４２でありうる。この装置はまた、干渉元の基準信号に関連付けられたリソースを除外するようにレート・マッチングを実行するようにユーザ機器に対して指示する手段を含む。１つの態様では、前述した手段は、前述した手段によって詳述された機能を実行するように構成されたアンテナ４３４ａ−ｔ、コントローラ／プロセッサ４４０、送信プロセッサ４２０、変調器４３２ａ−ｔ、メモリ４４２、および／またはスケジューラ４４４でありうる。別の態様では、前述した手段は、前述した手段によって記述された機能を実行するように構成されたモジュールまたは任意の装置でありうる。
【００７１】
１つの構成では、無線通信のための装置は、干渉元の基地局の基準信号から、サービス提供している基地局と、干渉とを判定する手段を含む。１つの態様では、前述した手段は、前述した手段によって詳述された機能を実行するように構成されたアンテナ４５２ａ−ｔ、復調器４５４ａ−ｒ、受信プロセッサ４５８、コントローラ／プロセッサ４８０、および／またはメモリ４８２でありうる。この装置はまた、サービス提供している基地局から、ダウンリンク通信を受信する手段を含む。ダウンリンク通信は、干渉元の基準信号に関連付けられたリソースを除外するようにレート・マッチングされる。１つの態様では、前述した手段は、前述した手段によって詳述された機能を実行するように構成されたアンテナ４５２ａ−ｔ、変調器４５４ａ−ｔ、受信プロセッサ４５８、コントローラ／プロセッサ４８０、および／またはメモリ４８２でありうる。別の態様では、前述した手段は、前述した手段によって記述された機能を実行するように構成されたモジュールまたは任意の装置でありうる。
【００７２】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７３】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７４】
本明細書の開示に関連して説明された方法またはアルゴリズムのステップは、ハードウェアでダイレクトに、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７５】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００７６】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2013536604.tif 000003
【図２】
2013536604.tif 000004
【図３】
2013536604.tif 000005
【図４】
2013536604.tif 000006
【図５Ａ】
2013536604.tif 000007
【図５Ｂ】
2013536604.tif 000008
【図６】
2013536604.tif 000009
【図７】
2013536604.tif 000010
【図８】
2013536604.tif 000011
【図９】
2013536604.tif 000012
【図１０】
2013536604.tif 000013
【国際調査報告】
2013536604.tif 000014
2013536604.tif 000015
2013536604.tif 000016
2013536604.tif 000017